(57)【特許請求の範囲】
【請求項１】
携帯型端末を用いた単語学習装置であって、
英単語と、この英単語に対応する日本語を組として入力させる入力手段、
入力した前記英単語と日本語を組として記憶する記憶手段を備え、
前記記憶手段は、更に前記英単語又は日本語を入力した日時と場所を前記組に対応付けて記憶する
ことを特徴とする単語学習装置。
【発明の詳細な説明】
【技術分野】
【０００１】  本発明は、単語学習装置に関する。特にスマートフォン等で使用される英単語学習アプリに関する。
【背景技術】
【０００２】  ２０１３年ＴＯＥＩＣテストの受験者のアンケート結果によると、日本人のＴＯＥＩＣの平均スコアは５１２点であり、４９か国中４０位と下位に位置している（非特許文献１）。発明者もかつて米国に滞在したことがあるが、その際、同じアジア人でも中国や韓国の出身者は英語が上手な人が多いと感じた。【０００３】  英語で会話をする際、相手の言っていることが理解できないケースが多々ある。理由は、英単語が聞き取れない、聞き取れても単語の意味が分からない、ということが大きいと思われる。例えば、日本人が英語でインタビューを受けている映像を見ると、一つの英単語を聞き間違えていたことにより、質問者の意図と異なる回答をしているケースが見られる。また、私自身も、米国人との会話の際に私の知らない単語が出てくるとそれだけでパニック状態になり、結果として相手の話が全く理解できない、という経験が何度もあった。従って、英単語力の向上が英語力の向上に直結することは間違いないであろう。【０００４】  そして、今日、書店の英語学習書籍のコーナーへ行けば、様々な英単語集が販売されている。初級者向け、中級者向け、上級者向けなどレベル別に編成されたもの。ビジネス用語、技術用語、旅行用語など分野別に編成されたもの。そして出版社もさまざまである。また、スマートフォンを活用した英単語学習アプリも多数存在する。【０００５】  また、中学校、高等学校では週に２〜３時間の英語の授業が行われており、社会人向けの英会話学校も多数存在する。その授業やレッスンでは、定期的に英単語テストを行い、生徒に英単語学習を日常的に課している。
【先行技術文献】
【非特許文献】
【０００６】
【非特許文献１】  「日本人の平均スコアは５１２点、４８カ国中４０位にとどまる」（ＴＯＥＩＣプレスリリース、２０１４年７月１６日）（インターネット、２０１６年６月１７日検索、ＵＲＬ：ｈｔｔｐ：／／ｗｗｗ．ｔｏｅｉｃ．ｏｒ．ｊｐ／ｐｒｅｓｓ／２０１４／ｐ０１６．ｈｔｍｌ）ｈｔｔｐ：／／ｓｉｌｖｅｔ．ｂｉｚ／ｂ−ｎａｎｎｇｏｒｅｖｅｌ．ｈｔｍｌ
【発明の概要】
【発明が解決しようとする課題】
【０００７】  このように英単語学習の重要であることの認識は皆持っており、学習ツールも豊富に用意されている。しかしながら、ＴＯＥＩＣのスコアに表れているようにそれらが成果に結びついていないように思われる。【０００８】  思うに、市販の英単語集、スマートフォンの英単語学習アプリ等の学習ツールは、製作者側が独自のコーパス等に基づき、英単語を選定している。当然ながら、学校の授業や英会話スクールのレッスンで習う英単語とは一致しておらず、学校の授業の予復習等にこれらの学習ツールを活用することはできない。つまり、これらの学習ツールは、学校の授業等のプラスアルファの教材として使用されることを前提としている。【０００９】  しかしながら、普通の中学生、高校生が授業の予復習に加えて、これらの学習ツールでの学習に時間を割くことは現実的には難しいと思われる。例えば高校生であれば、部活動に従事している者も多いし、英語以外の教科の勉強もしなければならない。従って、仮にこれらの学習ツールを購入、入手したとしても、時間的な制約により、十分な活用ができていないケースが多いのではないか、と思われる。つまり、学校の授業と、市販の学習ツールが相乗効果を発揮できていない状況にあると考えられる。【００１０】  本発明は、以上の課題に鑑み創作されたものである。
【課題を解決するための手段】
【００１１】  本発明は、携帯型端末を用いた単語学習装置であって、
英単語と、この英単語に対応する日本語を組として入力させる入力手段、
入力した前記英単語と日本語を組として記憶する記憶手段を備え、
前記記憶手段は、更に前記英単語又は日本語を入力した日時と場所を前記組に対応付けて記憶する。【００１２】  このように本発明は、学習者が自ら英単語と日本語訳をペアで登録し、単語を登録した日時を自動的に記録する。また、日時情報に加え、場所情報も付加的に記録しても良い。これにより、いつ学習した単語かが容易に分かる。例えば、定期試験直前期に勉強した単語なのか、英会話学校の小テスト前だったのか、海外留学中だったのが簡単に分かる。また、単語リストをスマートフォン上で一元管理できるから、仮に教科書、テキスト、プリント、ノートを紛失しても、学習履歴を残せる。【００１９】  なお、本発明において、各手段は、全て同一の機器内に備えるものでも良いし、複数の機器を用いて実現されるものでも良い。例えば、入力手段、記憶手段、表示手段、選択手段、判定手段の全てを１つのスマートフォンで実現しても良い。あるいは、入力手段、表示手段、選択手段はスマートフォンが備え、記憶手段、判定手段はクラウド上のサーバにより実現しても良い。
【発明の効果】
【００２２】  本発明の単語学習装置は、学校の授業や定期テストに連動させて使用できるので、英単語学習に相乗効果を発揮する。
【図面の簡単な説明】
【００２３】
【図１】本発明の単語学習装置が適用されるスマートフォンの入力画面を示す図である。
【図２】本発明の単語学習装置の記憶手段が記憶する情報の一例を示す図である。
【図３】上記スマートフォンの画面に表示される出題例と、ユーザによる解答の選択例を示す図である。
【図４】ユーザが正答した場合における上記スマートフォンの画面の表示例を示す図である。
【図５】ユーザが誤答を選択した場合と、誤答時における上記スマートフォンの画面の表示例を示す図である。
【発明を実施するための形態】
【００２４】  図１は、本発明の単語学習装置が適用されるスマートフォン１の入力画面の例を示す図である。ここでは、「ｂａｉｌ」という英単語と、これの日本語訳である「保釈」を登録する例を示す。スマートフォン１の画面１０には、英単語を入力させるための枠部１０１、日本語を入力させるための枠部１０２、入力完了の旨を入力させる入力完了ボタン１０３が表示される。ユーザが枠部１０１に「ｂａｉｌ」と入力し、枠部１０２にその訳語である「保釈」を入力し、そして入力完了ボタン１０３を押すと、図２に示すように、記憶手段には「ｂａｉｌ」と「保釈」が対応付けて組として記憶される。また、記憶手段には記憶した日時や場所も記憶される。例えば、この例では１８時１１分に記憶されているので、ユーザ（例えば高校生）が帰宅後に登録した例である。図２は同様にして、他の４つの単語も入力した後の状態を示したものである。なお、記憶手段は、上述した通り、スマートフォン１内に備えても良いし、スマートフォン１とネットワークにて接続されるサーバ上に備えるものでも良い。
【００２５】  図３は、スマートフォン１の画面１０に表示される、英単語の出題例を示す図である。この例では、「ｂａｉｌ」に対応する日本語を５つの中から選択させる例である。ここで、５つの日本語は、記憶手段に記憶された日本語訳から抽出されたものである。このうち、「保釈」は「ｂａｉｌ」の組として登録された日本語であり、その他の「ボール」「風船」「禁止する」「宴会」は他の英単語の組として登録された日本語である。
【００２６】  図３（ｂ）を参照して、仮にユーザが「保釈」を選択した場合、これは「ｂａｉｌ」の正しい日本語訳であるから図４に示すように「正解」の旨が画面１０に表示される。
【００２７】  一方、図５（ａ）を参照して、ユーザが「保釈」以外のもの、例えば「風船」を選択した場合、「ｂａｉｌ」の日本語訳としては適切ではないから、図５（ｂ）のように不正解である旨を表示すると共に、「保釈」が正しい解答である旨も表示する。
【００２８】  つまり、ユーザの選択した日本語が、記憶手段のリストにおいて、問題文の英単語と同じ組に属する日本語であれば正答と判定し、他の組に属する日本語であれば誤答と判定している。
【００２９】  以上、本発明の一例を実施例により説明した。本発明の範囲は、上記実施例により定められるものではなく、特許請求の範囲の記載によって定められるものである。特に、本願では、「課題を解決するための手段」においても本発明の内容を詳述しているから、この内容にも基づいて本発明の範囲、内容を解釈されたい。
【００３０】  上記例では、英単語の学習を目的とした装置について説明したが、英語に限らず、ドイツ語、フランス語、中国語、韓国語など、他の外国語の学習にも適用できるものであり、また単語に限らず、熟語やフレーズでも良い。または歴史上の人物、地名、出来事等の学習にも応用できる。
【００３２】本発明では、日時や場所も対にして記憶するので、いつ学習した単語か、またどこで学習した単語かが分かるので、学習した単語の整理に便利である。
【００３５】  そして、本発明が将来、商業的に実施されることによって、多くの方々の英語力向上の一助になれば幸いである。
【図１】
0006782107.tif 000002
【図２】
0006782107.tif 000003
【図３】
0006782107.tif 000004
【図４】
0006782107.tif 000005
【図５】
0006782107.tif 000006